(57)【特許請求の範囲】
【請求項１】
装置本体１と、この装置本体１を着用部分に取付けるための着用バンド２を備え、
前記装置本体１は、本体１０と送風機１５と薬剤保持体１６を有し、
その本体１０は、表面１０ａが閉塞され、裏面１０ｂの吸込口１２と側面１０ｃの放出口１３を連通する空気流通路１４を有し、
前記送風機１５と薬剤保持体１６は本体１０の空気流通路１４内に設けられ、当該送風機１５を駆動することで空気流通路１４に空気が流通して薬剤保持体１６の薬剤が放出口１３から空気とともに大気に放散されるように構成し、
前記着用バンド２が本体１０の裏面１０ｂに接し、この着用バンド２で装置本体１を着用部分ａに着用した状態で、着用バンド２が着用部分ａに接して着用部分ａと本体１０の裏面１０ｂとの間に隙間が形成されるようにし、
前記着用バンド２の本体１０の裏面１０ｂに接する部分の幅が本体１０の径よりも小さく、その着用バンド２の幅方向側方に吸込口１２が開口していることを特徴とする着用型送風式薬剤放散装置。
【請求項２】
本体１０の裏面１０ｂを開口して吸込口１２とし、この吸込口１２に薬剤保持体１６を挿入して設けると共に、押えプレート１９で抜け落ちないように保持したことを特徴とする請求項１記載の着用型送風式薬剤放散装置。
【請求項３】
本体１０の下部における着用バンド２と接する部分以外の部分を切欠き、その切欠き部１０ｅが吸込口１２に連通するようにした請求項２記載の着用型送風式薬剤放散装置。
【発明の詳細な説明】
【技術分野】
【０００１】
本発明は、人体、家畜やペット等の動物などに着用して、殺虫剤、忌避剤、芳香剤、消臭剤、除菌剤などの揮散性の薬剤を大気に放散する着用型送風式薬剤放散装置に関する。
【背景技術】
【０００２】
特許文献１に着用型の送風式薬剤放散装置が開示されている。
この装置は、本体内に、送風機と薬剤保持体と電池を設けて送風機を駆動することで吸込口から放出口に空気が流通し、その放出口から放出される空気とともに薬剤保持体の薬剤が大気に放散される装置本体と、この装置本体に取付けた着用バンドを備え、その着用バンドによって装置本体を人体、動物などに着用できる。
【０００３】
特許文献２には、本体内に送風機、薬剤保持体、電池を設け、送風機を駆動することで本体の裏面に形成した吸込口から空気を吸い込み、薬剤保持体を通して本体の側面に形成した放出口から大気に放出するようにした送風式薬剤放散装置が開示されている。
【０００４】
【特許文献１】特開２００４−２４１６１号公報
【特許文献２】特開２００２−２２６３０５号公報
【発明の開示】
【発明が解決しようとする課題】
【０００５】
前述の特許文献１に開示された装置であれば、人、動物などに着用して使用することができる。
しかし、その本体の表面に吸込口が形成されていると共に、その吸込口と連続して薬剤保持体が設けてあるので、太陽光（日射）が吸込口を通して前記薬剤保持体に直接照射される度合が多く、その薬剤保持体が保持している薬剤が早期に劣化することがある。
【０００６】
このことを解消するには、特許文献２に開示された装置のように、本体の裏面に吸込口を形成し、表面を閉塞された形状とすることが考えられる。
しかし、着用バンドを人体の手、腰や動物の首、足、胴などの着用部分に巻きつけるようにして装置本体を着用するので、裏面に形成した吸込口が人体の手、腰、動物の首、足、胴などの着用部分で閉塞され易く、空気を吸い込みづらい状態となり、薬剤を効率良く大気に放散できないことがある。
【０００７】
本発明の目的は、人体、動物などの着用部分に着用して使用する際に、太陽光で薬剤が早期に劣化しないと共に、薬剤を効率良く大気に放散できる着用型送風式薬剤放散装置とすることである。
【課題を解決するための手段】
【０００８】
第１の発明は、装置本体１と、この装置本体１を着用部分に取付けるための着用バンド２を備え、
前記装置本体１は、本体１０と送風機１５と薬剤保持体１６を有し、
その本体１０は、表面１０ａが閉塞され、裏面１０ｂの吸込口１２と側面１０ｃの放出口１３を連通する空気流通路１４を有し、
前記送風機１５と薬剤保持体１６は本体１０の空気流通路１４内に設けられ、当該送風機１５を駆動することで空気流通路１４に空気が流通して薬剤保持体１６の薬剤が放出口１３から空気とともに大気に放散されるように構成し、
前記着用バンド２が本体１０の裏面１０ｂに接し、この着用バンド２で装置本体１を着用部分ａに着用した状態で、着用バンド２が着用部分ａに接して着用部分ａと本体１０の裏面１０ｂとの間に隙間が形成されるようにし、
前記着用バンド２の本体１０の裏面１０ｂに接する部分の幅が本体１０の径よりも小さく、その着用バンド２の幅方向側方に吸込口１２が開口していることを特徴とする着用型送風式薬剤放散装置である。
【０００９】
第２の発明は、第１の発明において、本体１０の裏面１０ｂを開口して吸込口１２とし、この吸込口１２に薬剤保持体１６を挿入して設けると共に、押えプレート１９で抜け落ちないように保持した着用型送風式薬剤放散装置である。
【００１０】
第３の発明は、第２の発明において、本体１０の下部における着用バンド２と接する部分以外の部分を切欠き、その切欠き部１０ｅが吸込口１２に連通するようにした着用型送風式薬剤放散装置である。
【発明の効果】
【００１１】
第１の発明によれば、装置本体１を人体の手、腰や動物の首、足、胴などの着用部分に着用バンド２で取付けて着用して使用することができる。
また、前述のようにして使用する際に、本体１０の表面１０ａが閉塞されているから、本体１０内の薬剤保持体１６に太陽光が直接照射することがなく、太陽光で薬剤が早期に劣化することがない。
また、前述のようにして使用する際に、着用ベルト２が着用部分に接し、本体１０の裏面１０ｂと着用部分との間に隙間が生じ、その隙間を通して吸込口１２に空気が流れるので、本体１０内の空気流通路１４に必要な量の空気が流通し、薬剤を効率良く大気に放散できる。
【００１２】
第２の発明によれば、押えプレート１９を外すことで薬剤保持体１６を交換できる。
【００１３】
第３の発明によれば、切欠き部１０ｅを通して吸込口１２に多量の空気が流れるので、十分な量の空気を吸い込みできる。
【発明を実施するための最良の形態】
【００１４】
本発明の第１の実施の形態を説明する。
図１〜図４に示すように、装置本体１と着用バンド２を備え、その着用バンド２を人体、動物などの着用部分、例えば手、腰、首、胴、足に巻きつけるようにして取付けることで装置本体１を着用する。
前記装置本体１は、本体１０を備えている。この本体１０は表面１０ａが閉塞され、裏面１０ｂが開放した箱形状で、その側面１０ｃにバンド取付部１１が設けてあり、そのバンド取付部１１に前述の着用バンド２が、その着用バンド２が本体１０の裏面１０ｂに接するように取付けてある。
この実施の形態のバンド取付部１１は本体１０の側面１０ｃのフランジ１０ｄの上面に接するリング体１１ａと、そのリング体１１ａに設けた一対のバンド挿通部材１１ｂを備え、そのリング体１１ａを本体１０のフランジ１０ｄに接すると共に、一対のバンド挿通部材１１ｂに着用バンド２を挿通するようにしてある。
また、この実施の形態の着用バンド２は、長手方向一端部にバックル２ａを取付けると共に、他端部２ｂをバックル２ａに係止連結して固定するようにしてある。
【００１５】
このようであるから、図１、図４に示すように着用バンド２で装置本体１を前述の着用部分ａに着用すると、その着用バンド２が着用部分ａに接して本体１０の裏面１０ｂと着用部分ａが離隔して隙間ｂが形成される。
【００１６】
前記本体１０の裏面１０ｂの開口部を吸込口１２とし、本体１０の側面１０ｃに放出口１３を形成することで、本体１０内に図４に点線で示すように、その吸込口１２と放出口１３を連通する空気流通路１４を構成している。
前記着用バンド２の本体１０の裏面１０ｂに接する部分の幅は、本体１０の吸込口１２の直径よりも小さく、その吸込口１２の中央部分は着用部分で閉塞されるが、その吸込口１２における着用バンド２の幅方向両側の側方部分１２ａ，１２ａは開口されている。
このようであるから、前述のようにして着用バンド２で装置本体１を着用部分ａに着用した時に、前述の隙間ｂを通して吸込口１２の側方部分１２ａに空気が流通する。
したがって、人体、動物などの着用部分ａに着用バンド２で取付けた状態で、その吸込口１２が着用部分で閉塞されることがなく、吸込口１２に空気がスムーズに吸い込みされるので、本体１０の空気流通路１４に所定の量の空気が確実に流通し、薬剤を効率良く大気に放散できる。
前述の着用バンド２の本体１０の裏面１０ｂに接する部分以外の部分の幅は、接する部分の幅と同一でも良いし、大きくとも良い。
【００１７】
図４に示すように、前記本体１０内の空気流通路１４に、送風機１５と薬剤保持体１６が設けてあり、その送風機１５を駆動することで前記空気流通路１４に空気が流通して薬剤保持体１６の薬剤が空気とともに放出口１３から大気に放散される。
前記送風機１５はモータ１５ａでファン１５ｂを回転するもので、そのモータ１５ａが表面１０ａ寄りに取付けられてファン１５ｂが放出口１３と対向している。前記薬剤保持体１６は本体１０の裏面１０ｂ寄りに設けてある。
前記モータ１５ａは、本体１０の電池収納室１７に設けた電池１８を電源として駆動される。
前記電池収納室１７は本体１０の表面１０ａに設けてあり、着脱自在な蓋１７ａを備えている。
この電池収納室１７は本体１０の側面１０ｃに設けても良い。例えば、側面１０ｃの一方向１ヶ所に、又は側面１０ｃの対向した２ヶ所に電池収納室１７を設けても良い。
【００１８】
前述のように、薬剤保持体１６は送風機１５、放出口１３よりも本体１０の裏面１０ｂ寄りに位置しているので、その放出口１３から本体１０内に入射した太陽光は、送風機１５に遮へいされて薬剤保持体１６まで達することがない。
よって、放出口１３から本体１０内に入射した太陽光で薬剤保持体１６が早期に劣化することがない。
【００１９】
前記薬剤保持体１６は、本体１０の裏面１０ｂの開口部より着脱自在に取付けしてある。
前記薬剤保持体１６は、図４に示すように、容器１６ａ内にプレート状の薬剤担持体１６ｂを設け、押えプレート１６ｃで保持したもので、その容器１６ａ、押えプレート１６ｃの開口部分を通して薬剤担持体１６ｂに空気が流通する。
そして、前記薬剤保持体１６（容器１６ａ）が本体１０の開口部（吸込口１２）に嵌合して取付けられ、押えプレート１９で抜け落ちないように支持している。
この押えプレート１９は着用バンド２よりも幅狭く、本体１０の開口部に螺合又はスナップ式に固定される。
この薬剤保持体１６と押えプレート１９は次のようにして取付けできる。
着用バンド２の挿通状態を緩めて、本体１０の裏面１０ｂと着用バンド２との間を広げて、薬剤保持体１６を裏面１０ｂの開口部に嵌合して取り付け、押えプレート１９で抜け落ちないように支持し、その後、緩めた着用バンド２を裏面１０ｂに接するまで左右から引っ張って使用する。
【００２０】
前記バンド取付部１１は、本体１０の側面１０ｃに一対のバンド挿通部材１１ｂを一体的に設けたものでも良い。
前記押えプレート１９は、本体１０の開口部（吸込口１２）の全面を覆う大きさで、通気部を有するものとしても良い。
例えば、図５に示すように、本体１０の側面１０ｃ下部寄りに一対のバンド挿通部材１１ｂを一体的に設けてバンド取付部とし、その一対のバンド挿通部材１１ｂに着用バンド２を挿通して本体１０の裏面１０ｂに接する。
前記押えプレート１９を本体１０の開口部（吸込口１２）に嵌合して固定される円板状とすると共に、スリット状の通気孔１９ａを複数形成して通気部とし、この通気部における着用バンド２の幅方向の両側から吸込口１２に空気が吸い込みされるようにする。
このようにすれば、薬剤保持体１６を外部からの損傷から押えプレート１９で保護できる。
【００２１】
前記電池収納室１７は本体１０の側面１０ｃに設けても良い。
例えば、本体１０の側面１０ｃにおける着用バンド２と直交する方向の１つの面に１つの電池収納室１７、又は２つの面に２つの電池収納室１７をそれぞれ設ける。
または、本体１０の側面１０ｃにおける着用バンド２の方向の面に電池収納室１７を設け、この電池収納室１７の下面に着用バンド２が挿通するようにする。
【００２２】
前記押えプレート１９は矩形状、三角形状などでも良い。
また、この押えプレート１９を用いずに薬剤保持体１６を本体１０の開口部（吸込口１２）に嵌合又は弾性的に係止して取付けしたり、あるいは着用バンド２で抜け落ちないように保持するようにしても良い。
【００２３】
前述の実施の形態では、本体１０にバンド取付部１１を設け、そのバンド取付部１１に着用バンド２を挿通して本体１０の裏面１０ｂに接するようにしたが、着用バンド２の表面と本体１０とに亘ってバンド取付部１１を設け、本体１０を、その裏面１０ｂが着用バンド２の表面に接するように取付けても良い。
例えば、図６、図７に示すように、着用バンド２の表面２ａに一対の鉤形のフック受け１１ｃを設け、本体１０の側面１０ｃにコ字状のフック１１ｄを設け、このフック１１ｄをフック受け１１ｃに係止して本体１０の裏面１０ｂが着用バンド２の表面２ａに接するように取付けする。
【００２４】
このようにして取付けることで、着用バンド２に複数組のフック受け１１ｃを設けることで、１つの着用バンド２に複数の装置本体１を取付けできる。
【００２５】
前記本体１０の下部における着用バンド２が接する部分は切り欠きできないが、それ以外の部分を切り欠きしても着用バンド２が本体１０の裏面１０ｂに接するので、前記それ以外の部分を切り欠きし、その切欠き部を吸込口１２と開口連通することで、より多くの空気を吸込口１２に吸い込みできる。
例えば、図８と図９に示すように、本体１０の下部における着用バンド２と接している部分以外の部分を切り欠き、その切欠き部１０ｅを吸込口１２と連通する。
このようにすれば、切欠き部１０ｅと着用部分ａとの間の隙間が、その切欠き部１０ｅの高さ分だけ大きくなるので、多量の空気を吸い込みできる。
【図面の簡単な説明】
【００２６】
【図１】本発明の第１の実施の形態を示す全体正面図である。
【図２】本発明の第１の実施の形態を示す全体平面図である。
【図３】本発明の第１の実施の形態を示す全体底面図である。
【図４】図１のＡ−Ａ拡大断面図である。
【図５】本発明の第２の実施の形態を示す装置本体部分の底面図である。
【図６】本発明の第３の実施の形態を示す装置本体部分の平面図である。
【図７】本発明の第３の実施の形態を示す装置本体部分の正面図である。
【図８】本発明の第４の実施の形態を示す装置本体部分の底面図である。
【図９】本発明の第４の実施の形態を示す装置本体部分の断面図である。
【符号の説明】
【００２７】
１…装置本体、２…着用バンド、１０…本体、１０ａ…表面、１０ｂ…裏面、１０ｃ…側面、１０ｅ…切欠き部、１２…吸込口、１３…放出口、１４…空気流通路、１５…送風機、１６…薬剤保持体、１９…押えプレート。
【図１】
0004790351.tif 000002
【図２】
0004790351.tif 000003
【図３】
0004790351.tif 000004
【図４】
0004790351.tif 000005
【図５】
0004790351.tif 000006
【図６】
0004790351.tif 000007
【図７】
0004790351.tif 000008
【図８】
0004790351.tif 000009
【図９】
0004790351.tif 000010